(57)【要約】【課題】冷凍サイクルの運転条件を調節することなく、冷凍サイクルの運転効率を確保して、インバータ装置を吸入冷媒で冷却することができるインバータ装置一体型電動圧縮機の提供を目的とする。【解決手段】インバータ装置１０１を冷却するための吸入冷媒通路６１を、インバータ装置の主たる発熱部１０５に直近の第１の通路６１と、第一の通路に並列の第２の通路２００とで構成し、第２の通路には通路開閉装置２０２が備えられて、通路開閉装置は、インバータ装置の温度が高い場合には閉となり、インバータ装置の温度が低い場合には開となる。これにより、インバータ装置の主たる発熱部に直近の第１の通路のみに吸入冷媒が集中し効果的にインバータ装置が冷却される。【選択図】図１
2012082786.tif 000002
【特許請求の範囲】
【請求項１】
吸入冷媒により冷却されるインバータ装置を搭載するインバータ装置一体型電動圧縮機において、インバータ装置を冷却するための吸入冷媒通路を、インバータ装置の主たる発熱部に直近の第１の通路と、第１の通路に並列の第２の通路とで構成し、前記第２の通路には通路開閉装置が備えられて、前記通路開閉装置は、インバータ装置の温度が高い場合には閉となり、インバータ装置の温度が低い場合には開となることを特徴とするインバータ装置一体型電動圧縮機。
【請求項２】
通路開閉装置の開閉は、温度に応じて形状の変化する部材により行われることを特徴とする請求項１に記載のインバータ装置一体型電動圧縮機。
【請求項３】
温度に応じて形状の変化する部材は形状記憶合金であることを特徴とする請求項２に記載のインバータ装置一体型電動圧縮機。
【請求項４】
通路開閉装置の開閉は、電磁石により行われることを特徴とする請求項１に記載のインバータ装置一体型電動圧縮機。
【請求項５】
第２の通路の材質はアルミであることを特徴とする請求項４に記載のインバータ装置一体型電動圧縮機。
【発明の詳細な説明】
【技術分野】
【０００１】
本発明は、冷媒の吸入、圧縮および吐出を行う電動圧縮機部と、この電動圧縮機部の電動機を駆動するインバータ装置とを一体化した、インバータ装置一体型電動圧縮機に関するものである。
【背景技術】
【０００２】
吸入冷媒で冷却されるインバータ装置を搭載するインバータ装置一体型電動圧縮機は各種提案されている（例えば、特許文献１参照）。この一例を図１４〜図１７により説明する。
【０００３】
図１４はインバータ装置一体型電動圧縮機の縦断面図である。図１４においては、電動圧縮機１の胴部の周りにある取付け脚２によって横向きに設置される横型の電動圧縮機を示している。インバータ装置３０１が電動圧縮機１の左側に搭載されている。
【０００４】
電動圧縮機１について説明する。電動圧縮機１はその本体ケーシング３内に電動機５を内蔵し、電動機５は本体ケーシング３に嵌入または圧入される圧縮機構部４を駆動する。電動機５はインバータ装置３０１によって駆動される。圧縮機構部４はスクロール方式のものであって、図１４に示すように固定鏡板１１ａ、旋回鏡板１２ａから羽根が立ち上がった固定渦巻部１１と旋回渦巻部１２とを噛合わせて圧縮空間１０が形成してある。そして、この圧縮空間１０が、旋回渦巻部１２を電動機５により駆動軸１４を介して固定渦巻部１１に対し円軌道運動させたときに、移動を伴い容積を変化させることにより外部サイクルから帰還する冷媒３０の吸入、圧縮および外部サイクルへの吐出を、インバータケース３０２に設けた吸入口８および本体ケーシング３に設けた吐出口９を通じて行う。取り扱う冷媒はガス冷媒であり、各摺動部の潤滑や圧縮機構部４の摺動部のシールに供する液としては潤滑油７などの液を採用している。また、潤滑油７は冷媒に対して相溶性のあるものである。
【０００５】
本体ケーシング３の貯液部６に貯留されている潤滑油７が、容積型ポンプ１３を駆動軸１４にて駆動して、駆動軸１４の給油路１５を通じ旋回渦巻部１２の旋回駆動に伴い旋回渦巻部１２の背面の液溜り２１に供給される。この液溜り２１に供給された潤滑油７の一部は旋回渦巻部１２の外周部の背面側に旋回渦巻部１２を通じ絞り２３などによる所定の制限の基に供給して旋回渦巻部１２をバックアップしながら、前記潤滑油７を旋回渦巻部１２を通じ旋回渦巻部１２の羽根における先端の固定渦巻部１１との間のシール部材の一例であるチップシール２４を保持する保持溝２５に供給して固定、旋回各渦巻部１１、１２間のシールおよび潤滑を図る。また、液溜り２１に供給した潤滑油７の別の一部は、偏心軸受４３、液溜り２２、主軸受４２を経ながら、それら軸受４２、４３を潤滑した後、電動機５側に流出し、貯液部６へと回収される。
【０００６】
本体ケーシング３内の軸線方向の一方の端部壁３ａ側からポンプ１３、副軸受４１、電動機５、主軸受４２を持った主軸受部材５１を配置してある。ポンプ１３は端壁部３ａの外面から収容してその後に嵌め付けた蓋体５２との間に保持し、蓋体５２の内側に貯液部６に通じるポンプ室５３を形成して吸上げ通路５４を介して貯液部６に通じるようにしてある。
【０００７】
電動機５は固定子５ａを本体ケーシング３に焼き嵌め固定されるか、または環状部材１７によって固定され、駆動軸１４の途中まわりに固定した回転子５ｂにより駆動軸１４を回転駆動できるようにしている。主軸受部材５１は前記固定渦巻部１１と図示しないボル
トなどによって固定し、本体ケーシング３の開口端に嵌合され、インバータケース３０２でもって挟持する状態で、駆動軸１４の圧縮機構部４側を主軸受４２により軸受している。さらに、これら主軸受部材５１と固定渦巻部１１との間に前記旋回渦巻部１２を挟み込んでスクロール圧縮機を構成している。主軸受部材５１と旋回渦巻部１２との間にはオルダムリング５７などの旋回渦巻部１２の自転を防止して円運動させるための自転拘束部が設けられ、駆動軸１４を、偏心軸受４３を介して旋回渦巻部１２に接続して、旋回渦巻部１２を円軌道上で旋回させられるようにしている。
【０００８】
圧縮機構部４には吐出孔３１及びリード弁３１ａが設けられ、吐出孔３１は固定鏡板１１ａと蓋体６５で構成された吐出室６２に開口される。吐出室６２は固定渦巻部１１および主軸受部材５１ないしはこれらと本体ケーシング３との間に形成した連絡通路６３を通じて、電動機５側に通じている。そして、電動機５を冷却しながら本体ケーシング３の吐出口９から吐出されるまでの長い過程で、冷媒は衝突、遠心、絞りなど各種の気液分離を図って潤滑油７の分離を受けながらも、随伴している一部潤滑油７によって副軸受４１の潤滑も行う。
【０００９】
インバータ装置３０１について説明する。インバータ装置３０１は、インバータケース３０２、吐出室６２の反対側に回路基板１０３と、電流平滑コンデンサ１０８などを収容して構成され、回路基板１０３には主たる発熱源となるスイッチング素子を含むＩＰＭ（インテリジェントパワーモジュール）１０５が搭載される。電動機５からのリード線８１は固定鏡板１１ａの外周近傍に設けられた連絡通路８２を通してハーネスコネクタ１０７に接続され、圧縮機ターミナル１０６に差込固定される。インバータ装置３０１は、ターミナル１０６に電気接続される。そして、ＩＰＭ１０５の温度、電動機５の温度などをモニタしながら電動機５を駆動する。圧縮機ターミナル１０６はトメワ８０によってインバータケース３０２に固定される。インバータ装置３０１は外部との電気的な接続を行う図示しないハーネスコネクタが設けられている。
【００１０】
遮音および制振効果のあるシート材１２０で、電動機５あるいは圧縮機構部４から発生する騒音が、インバータカバー１１３を透過して外部に放射されるのを防いでいる。インバータケース３０２のネジ穴１１５に、インバータカバー１１３を、ネジ通し穴１１４を通しネジ５５で固定し、インバータ装置３０１を外力から保護している。インバータケース３０２は、ボルト通し穴１１６を通るボルト（図示せず）により、Ｏリング９１をはさみ気密的に本体ケーシング３に締結される。
【００１１】
インバータ装置３０１の冷却構造について説明する。インバータケース３０２と固定スクロール１１の固定鏡板１１ａとを、Ｏリング９２を用いて気密的に組み合せることにより、吸入口８から通じる吸入冷媒通路３６１が形成される。吸入口８から吸入された冷媒は、吸入冷媒通路３６１に拡散され、端部壁３０２ａを冷却すると共に、背面に搭載されているＩＰＭ１０５等の発熱体と熱交換を行ったのち、固定鏡板１１ａの通路穴７１を介して圧縮空間１０に流入する。
【先行技術文献】
【特許文献】
【００１２】
【特許文献１】特開２００９−９７５０３号公報（第１１頁、第１図）
【発明の概要】
【発明が解決しようとする課題】
【００１３】
上記のようなインバータ装置の冷却構造に関して次のような課題がある。インバータ装置の温度は所定の温度以下に制限する必要があるが、周囲温度、圧縮機構部、電動機、ＩＰＭなどの温度に依存するため、吸入冷媒にて充分に冷却できず、所定の温度以下に制限
できなくなる場合がある。このような場合には、冷凍サイクルの運転条件を調節することになる。例えば、膨張弁の調節、熱交換器の風量調節、電動圧縮機回転数の調節などである。これにより、冷却効果は高められるが、冷凍サイクルの運転条件を調節するため、空調の快適性が損なわれたり、運転効率の低下を招いたりすることになる。また、冷凍サイクルの運転制御が複雑になる。
【００１４】
本発明はこのような従来の課題を解決するものであり、冷凍サイクルの運転条件を調節することなく、冷凍サイクルの運転効率を確保して、インバータ装置を吸入冷媒で冷却することができるインバータ装置一体型電動圧縮機の提供を目的とする。
【課題を解決するための手段】
【００１５】
上記課題を解決するために、本発明のインバータ装置一体型電動圧縮機は、インバータ装置を冷却するための吸入冷媒通路を、インバータ装置の主たる発熱部に直近の第１の通路と、第一の通路に並列の第２の通路とで構成し、第２の通路には通路開閉装置が備えられて、通路開閉装置は、インバータ装置の温度が高い場合には閉となり、インバータ装置の温度が低い場合には開となるものである。
【００１６】
これにより、周囲温度、圧縮機構部、電動機、ＩＰＭなどの温度条件により、インバータ装置の温度が高い場合には、第２の通路が閉となる。そのため、インバータ装置の主たる発熱部に直近の第１の通路のみに吸入冷媒が集中し温度勾配が大きいため効果的にインバータ装置が冷却される。これにより、冷凍サイクルの運転条件調節は不要になり空調の快適性、運転効率が確保される。
【００１７】
一方、インバータ装置の温度が低い場合には、第２の通路が開となる。そのため、第１の通路と第２の通路の両方に吸入冷媒が流れるため通路抵抗が小さくなる。これにより、電動圧縮機の効率が向上し、結果として冷凍サイクルの運転効率が確保される。
【発明の効果】
【００１８】
本発明のインバータ装置一体型電動圧縮機は、冷凍サイクルの運転条件を調節することなく、冷凍サイクルの運転効率を確保して、インバータ装置を吸入冷媒で冷却することができる。
【図面の簡単な説明】
【００１９】
【図１】本発明の実施の形態１におけるインバータ装置一体型電動圧縮機の縦断面図（第２の通路開）
【図２】同吸入冷媒通路周辺の拡大図（第２の通路開）
【図３】同インバータケースの冷却通路空間の分解構造図（第２の通路開）
【図４】同インバータケースの吸入冷媒通路側の拡大図（第２の通路開）
【図５】同吸入冷媒通路周辺の拡大図（第２の通路閉）
【図６】同インバータケースの冷却通路空間の分解構造図（第２の通路閉）
【図７】同インバータケースの吸入冷媒通路側の拡大図（第２の通路閉）
【図８】同インバータケースの回路基板側の分解構造図
【図９】本発明の実施の形態２における吸入冷媒通路周辺の拡大図（第２の通路開）
【図１０】同インバータケースの吸入冷媒通路側の拡大図（第２の通路開）
【図１１】同吸入冷媒通路周辺の拡大図（第２の通路閉）
【図１２】同インバータケースの吸入冷媒通路側の拡大図（第２の通路閉）
【図１３】同インバータケースの回路基板側の分解構造図
【図１４】従来のインバータ装置一体型電動圧縮機の縦断面図
【図１５】同吸入冷媒通路周辺の拡大図
【図１６】同インバータケースの冷却通路空間の分解構造図
【図１７】同インバータケースの回路基板側の分解構造図
【発明を実施するための形態】
【００２０】
第１の発明は、インバータ装置を冷却するための吸入冷媒通路を、インバータ装置の主たる発熱部に直近の第１の通路と、第一の通路に並列の第２の通路とで構成し、第２の通路には通路開閉装置が備えられて、通路開閉装置は、インバータ装置の温度が高い場合には閉となり、インバータ装置の温度が低い場合には開となるものである。
【００２１】
これにより、周囲温度、圧縮機構部、電動機、ＩＰＭなどの温度条件により、インバータ装置の温度が高い場合には、第２の通路が閉となる。そのため、インバータ装置の主たる発熱部に直近の第１の通路のみに吸入冷媒が集中し温度勾配が大きいため効果的にインバータ装置が冷却される。冷凍サイクルの運転条件調節は不要になり空調の快適性、運転効率が確保される。
【００２２】
一方、インバータ装置の温度が低い場合には、第２の通路が開となる。そのため、第１の通路と第２の通路の両方に吸入冷媒が流れるため通路抵抗が小さくなる。これにより、電動圧縮機の効率が向上し、結果として冷凍サイクルの運転効率が確保される。
【００２３】
第２の発明は、第１の発明のインバータ装置一体型電動圧縮機において、通路開閉装置の開閉は、温度に応じて形状の変化する部材により行われるものである。これにより、温度検出器、制御装置などを必要とせず、部品も少なく実現できる。
【００２４】
第３の発明は、第２の発明のインバータ装置一体型電動圧縮機において、温度に応じて形状の変化する部材は形状記憶合金とするものである。これにより、バイメタルなどに比較し特定の温度での形状変化が大きいので通路開閉が迅速に行える。
【００２５】
第４の発明は、第１の発明のインバータ装置一体型電動圧縮機において、通路開閉装置の開閉は、電磁石により行われるものである。インバータケース材質が磁性の低いものであれば、インバータケースの端部壁を介しても、開閉ドアを開閉することができる。そのため、冷媒の気密性を保つことができる。
【００２６】
第５の発明は、第４の発明のインバータ装置一体型電動圧縮機において、第２の通路の材質はアルミとするものである。アルミは、磁性が低く、インバータケースの端部壁（第２の通路）を介しても、開閉ドアを開閉することができる。また、一般的に使用される材質なので、実現し易い。
【００２７】
以下、本発明の実施の形態について、図面を参照しながら説明する。なお、この実施の形態によって本発明が限定されるものではない。
【００２８】
（実施の形態１）
図１は、本発明の実施の形態１に係るインバータ装置一体型電動圧縮機の縦断面図である。この図では、第２の通路が開の場合を示している。従来のインバータ装置一体型電動圧縮機の縦断面図である図１４との相違点は、吸入冷媒通路周辺が変更されている点であり、インバータ装置３０１がインバータ装置１０１となっている。吸入冷媒通路周辺を明確にするために、蓋体６５のネジなどは省略している。電動圧縮機の１の構成作動の説明は、従来と同じであるので割愛する。同一箇所の符号は、そのまま適用する。
【００２９】
図１、図３、図８により、インバータ装置１０１の概要について説明する。インバータ装置１０１は、インバータケース１０２、吐出室６２の反対側に回路基板１０３と、電流平滑コンデンサ１０８などを収容して構成され、回路基板１０３には主たる発熱源となる
スイッチング素子を含むＩＰＭ（インテリジェントパワーモジュール）１０５が搭載される。電動機５からのリード線８１は固定鏡板１１ａの外周近傍に設けられた連絡通路８２を通してハーネスコネクタ１０７に接続され、圧縮機ターミナル１０６に差込固定される。インバータ装置１０１は、ターミナル１０６に電気接続される。そして、ＩＰＭ１０５の温度、電動機５の温度などをモニタしながら電動機５を駆動する。温度のモニタは図示していない温度センサ、回路基板１０３上の制御回路でなされる。圧縮機ターミナル１０６はトメワ８０によってインバータケース３０２に固定される。インバータ装置１０１は外部との電気的な接続を行う図示しないハーネスコネクタが設けられている。
【００３０】
遮音および制振効果のあるシート材１２０で、電動機５あるいは圧縮機構部４から発生する騒音が、インバータカバー１１３を透過して外部に放射されるのを防いでいる。インバータケース１０２のネジ穴１１５に、インバータカバー１１３をネジ通し穴１１４を通しネジ５５で固定し、インバータ装置１０１を外力から保護している。インバータケース１０２は、ボルト通し穴１１６を通るボルト（図示せず）により、Ｏリング９１をはさみ気密的に本体ケーシング３に締結される。
【００３１】
インバータ装置１０１の冷却構造について説明する。インバータケース１０２と固定スクロール１１の固定鏡板１１ａとを、とＯリング９２を用いて気密的に組み合せることにより吸入口８から通じる吸入冷媒通路が形成される。吸入冷媒通路は、仕切り板２０１により、第１の通路６１と第１の通路に並列の第２の通路２００とに分けられる。第１の通路６１は、主たる発熱源となるＩＰＭ１０５の部分に吸入冷媒が集中するように面積を絞っている。第２の通路２００には、通路開閉装置としての形状記憶合金２０２が備えられている。形状記憶合金２０２は、端部壁１０２ａからの熱を受け、形状が変化する。
【００３２】
まず、インバータ装置１０１の温度が低い場合について、図１〜図４により説明する。インバータ装置１０１の温度が低いため、通路開閉装置としての形状記憶合金２０２は平らな状態であり、第２の通路２００は開となっている。そのため、吸入口８から吸入された冷媒は、第１の通路６１と第２の通路２００との両方に拡散され、端部壁１０２ａを冷却すると共に、第１の通路６１側の背面に搭載されているＩＰＭ１０５等の発熱体と熱交換を行ってこれを冷却したのち、固定鏡板１１ａの通路穴７１を介して圧縮空間１０に流入する。そのため、第１の通路６１と第２の通路２００の両方に吸入冷媒が流れるため通路抵抗が小さくなる。これにより、電動圧縮機１の効率が向上し、結果として冷凍サイクルの運転効率が確保される。
【００３３】
次に、インバータ装置１０１の温度が高い場合について、図５〜図７により説明する。インバータ装置１０１の温度が高いため、通路開閉装置としての形状記憶合金２０２は曲がった状態であり、第２の通路２００は閉となる。そのため、吸入口８から吸入された冷媒は、第１の通路６１のみに拡散され、端部壁１０２ａを冷却すると共に、第１の通路６１側の背面に搭載されているＩＰＭ１０５等の発熱体と熱交換を行ってこれを冷却したのち、固定鏡板１１ａの通路穴７１を介して圧縮空間１０に流入する。これにより、インバータ装置１０１の主たる発熱部ＩＰＭ１０５に直近の第１の通路６１のみに吸入冷媒が集中し、部分的で小さい面積のＩＰＭ１０５に発熱が集中して温度勾配が大きいため、効果的にインバータ装置１０１が冷却される。温度勾配が大きいため、第１の通路６１に放熱フィンを設けると更に冷却効果が大きい。これにより、冷凍サイクルの運転条件調節は不要になり空調の快適性、運転効率が確保される。
【００３４】
上記のように、本実施の形態のインバータ装置一体型電動圧縮機は、冷凍サイクルの運転条件を調節することなく、冷凍サイクルの運転効率を確保して、インバータ装置を吸入冷媒で冷却することができる。
【００３５】
尚、吸入冷媒通路は複数に分けて細かく調節しても良い。通路開閉装置としては、形状記憶合金に限らず、バイメタル、温度で膨張収縮する部材などでも良い。形状記憶合金は、吸入冷媒の下流側が曲がるようにしても良い。開閉に限らず半分開など途中段階があっても良い。バイメタルなどにより温度に対して開度が線形でも良い。図３、図４、図６、図７の破線表示部は、ＩＰＭ１０５が端部壁１０２ａの回路基板１０３側にあることを示す。図２のように形状記憶合金が端部壁くぼみに収まるようにすると安定し易い。形状記憶合金の形状が変化し曲がった状態となる温度は、例えば８０℃であり、インバータ装置の温度仕様により決めれば良い。
【００３６】
（実施の形態２）
図９〜図１３は実施の形態２を示し、この実施の形態２においては、実施の形態１から通路開閉装置を変更している。これにより、インバータ装置１０１をインバータ装置１２１としている。インバータ装置１２１の冷却構造について、図９〜図１３により説明する。
【００３７】
吸入冷媒通路の形成に関しては実施の形態１と同様である。吸入冷媒通路は、仕切り板２０１により、第１の通路６１と第１の通路に並列の第２の通路２００とに分けられる。第１の通路６１は、主たる発熱源となるＩＰＭ１０５の部分に吸入冷媒が集中するように面積を絞っている。第２の通路２００には、通路開閉装置としての開閉ドア２０３が永久磁石２０５、ヒンジ２０６とともに備えられている。インバータケース１２２の端部壁１２２ａの回路基板１２３側には、永久磁石２０５との相互作用により、開閉ドア２０３を開閉するための電磁石２０４を備えている。電磁石２０４は、制御回路２０７により、温度センサ２０８にてＩＰＭ１０５の温度または端部壁１２２ａの温度をモニタすることにより、制御される。
【００３８】
まず、インバータ装置１２１の温度が低い場合について、図９、図１０により説明する。インバータ装置１２１の温度が低いため、電磁石２０４は永久磁石２０５とともに通路開閉装置としての開閉ドア２０３を吸引しており、第２の通路２００は開となっている。そのため、吸入口８から吸入された冷媒は、第１の通路６１と第２の通路２００との両方に拡散され、端部壁１２２ａを冷却すると共に、第１の通路６１側の背面に搭載されているＩＰＭ１０５等の発熱体と熱交換を行ったのち、固定鏡板１１ａの通路穴７１を介して圧縮空間１０に流入する。そのため、第１の通路６１と第２の通路２００の両方に吸入冷媒が流れるため通路抵抗が小さくなる。これにより、電動圧縮機１の効率が向上し、結果として冷凍サイクルの運転効率が確保される。
【００３９】
次に、インバータ装置１２１の温度が高い場合について、図１１、図１２により説明する。インバータ装置１２１の温度が高いため、電磁石２０４は永久磁石２０５とともに通路開閉装置としての開閉ドア２０３と反発しており、第２の通路２００は閉となる。そのため、吸入口８から吸入された冷媒は、第１の通路６１のみに拡散され、端部壁１２２ａを冷却すると共に、第１の通路６１側の背面に搭載されているＩＰＭ１０５等の発熱体と熱交換を行ったのち、固定鏡板１１ａの通路穴７１を介して圧縮空間１０に流入する。これにより、インバータ装置１２１の主たる発熱部ＩＰＭ１０５に直近の第１の通路６１のみに吸入冷媒が集中し、部分的で小さい面積のＩＰＭ１０５に発熱が集中して温度勾配が大きいため、効果的にインバータ装置１２１が冷却される。温度勾配が大きいため、第１の通路６１に放熱フィンを設けると更に冷却効果が大きい。これにより、冷凍サイクルの運転条件調節は不要になり空調の快適性、運転効率が確保される。
【００４０】
上記のように、本実施の形態のインバータ装置一体型電動圧縮機は、冷凍サイクルの運転条件を調節することなく、冷凍サイクルの運転効率を確保して、インバータ装置を吸入冷媒で冷却することができる。
【００４１】
尚、吸入冷媒通路は複数に分けて細かく調節しても良い。開閉ドアは、吸入冷媒の下流側が上がるようにしても良い。図１０、図１２の四角破線表示部は、ＩＰＭ１０５が端部壁１０２ａの回路基板１２３側にあることを示す。図１０〜図１２の丸表示部は、開閉ドア２０３に備えられた永久磁石を示す。端部壁がアルミであれば磁束が通過できるため磁石が作用する。図９のように永久磁石が端部壁くぼみに収まるようにすると安定し易い。開閉ドアも端部壁くぼみに収まるようにすると安定し易い。図１３に電流平滑コンデンサが無いが回路基板上など適当な場所に移動すれば良い。
【産業上の利用可能性】
【００４２】
以上のように、本発明にかかるインバータ装置一体型電動圧縮機は、冷凍サイクルの運転条件を調節することなく、冷凍サイクルの運転効率を確保して、インバータ装置を吸入冷媒で冷却することができるので、民生用、産業用、各種インバータ装置一体型電動圧縮機に適用できる。
【符号の説明】
【００４３】
１  電動圧縮機
３  本体ケーシング
４  圧縮機構部
５  電動機
８  吸入口
１１  固定スクロール
１１ａ  固定鏡板
３０  冷媒
６１  第１の通路（吸入冷媒通路）
６５  蓋体
７１  通路穴
９２  Ｏリング（圧縮機構部とインバータケース間用）
１０１  インバータ装置（実施の形態１）
１０２  インバータケース（実施の形態１）
１０２ａ  端部壁（実施の形態１）
１０３  回路基板（実施の形態１）
１０５  ＩＰＭ（主たる発熱部）
１０８  電流平滑コンデンサ
１１３  インバータカバー
１２１  インバータ装置（実施の形態２）
１２２  インバータケース（実施の形態２）
１２２ａ  端部壁（実施の形態２）
１２３  回路基板（実施の形態２）
２００  第２の通路（吸入冷媒通路）
２０１  仕切り板
２０２  形状記憶合金（通路開閉装置）
２０３  開閉ドア（通路開閉装置）
２０４  開閉ドア用電磁石（通路開閉装置）
２０５  開閉ドア用永久磁石（通路開閉装置）
２０６  開閉ドア用ヒンジ（通路開閉装置）
２０７  制御回路
２０８  温度センサ
【図１】
2012082786.tif 000003
【図２】
2012082786.tif 000004
【図３】
2012082786.tif 000005
【図４】
2012082786.tif 000006
【図５】
2012082786.tif 000007
【図６】
2012082786.tif 000008
【図７】
2012082786.tif 000009
【図８】
2012082786.tif 000010
【図９】
2012082786.tif 000011
【図１０】
2012082786.tif 000012
【図１１】
2012082786.tif 000013
【図１２】
2012082786.tif 000014
【図１３】
2012082786.tif 000015
【図１４】
2012082786.tif 000016
【図１５】
2012082786.tif 000017
【図１６】
2012082786.tif 000018
【図１７】
2012082786.tif 000019